【事件の表示】
 特許第２８２１４５３号「ディスク判別装置及び方法」の特許に対する特許異議申立てについて、次のとおり決定する。　
【 結  論】
 特許第２８２１４５３号の特許を維持する。
【 理　由】
 理　　由
１．手続の経緯
　本件特許第2821453号請求項１〜請求項９に係る各発明は、平成9年2月27日（パリ条約による優先権主張1996年10月4日、韓国）に特許出願されたものであって、平成10年8月28日にその特許の設定登録がなされ、その後、中村吉孝より特許異議の申立がなされたものである。
２．特許異議申立てについて
（1）本件発明
　本件請求項１〜請求項９に係る各発明は、その特許請求の範囲の欄の請求項１〜請求項９に記載された以下の事項により特定されるとおりのものである。
「【請求項１】相互に異なる同期信号を有するCD及びDVDの再生系を備えるディスク再生装置において、
　前記CD再生系は、CD同期検出部を備え、ディスク装着感知時に前記CD同期検出部から出力されるCD同期信号の検出有無を分析し、前記CD同期信号が検出されたときはCD再生系を選択駆動してCD再生モードを遂行し、設定された時間の間に前記CD同期信号が検出されないときは、前記DVD再生系を選択駆動してDVD再生モードを遂行することを特徴とする光ディスク再生装置。
【請求項２】相互に異なる同期信号を有するCD及びDVDを再生できる光ピックアップと、CD再生系及びDVD再生系とを備えるディスク再生装置において、
　前記CD再生系は、CD同期検出部を備え、ディスク装着時に前記光ピックアップをCD専用に制御し、前記CD同期検出部から出力されるCD同期信号の検出有無を分析し、前記CD同期信号が検出されるときはCD再生系を選択駆動してCD再生モードを遂行し、設定された時間の間に前記CD同期信号が検出されないときは、前記光ピックアップをDVD専用に制御し、前記DVD再生系を選択駆動してDVD再生モードを遂行することを特徴とする光ディスク再生装置。
【請求項３】相互に異なる同期信号を有するCD及びDVDを再生できる光ピックアップと、CD再生系及びDVD再生系とを備え、前記CD再生系がCD同期検出部を備えるディスク再生装置の再生方法において、
　ディスク装着時に前記光ピックアップをCD専用に制御し、前記CD同期検出部から出力されるCD同期信号の検出有無を分析し、前記CD同期信号が検出されるときはCD再生系を選択駆動してCD再生モードを遂行し、設定された時間の間に前記CD同期信号が検出されないときは前記光ピックアップをDVD専用に制御し、前記DVD再生系を選択駆動してDVD再生モードを遂行することを特徴とする光ディスク再生方法。
【請求項４】相互に異なる同期信号を有するCD及びDVDの再生系を備えるディスク再生装置において、
　前記DVD再生系はDVD同期検出部を備え、ディスク装着感知時に前記DVD同期検出部から出力されるDVD同期信号の検出有無を分析し、前記DVD同期信号が検出されるときはDVD再生系を選択駆動してDVD再生モードを遂行し、設定された時間の間に前記DVD同期信号が検出されないときは、前記CD再生系を選択駆動してCD再生モードを遂行することを特徴とする光ディスク再生装置。
【請求項５】相互に異なる同期信号を有するCD及びDVDを再生できる両用光ピックアップと、CD再生系及びDVD再生系とを備えるディスク再生装置において、
　前記DVD再生系がDVD同期検出部を備え、ディスク装着の感知時に前記光ピックアップをDVDピックアップユニットに制御し、前記DVD同期検出部から出力されるDVD同期信号の検出有無を分析し、前記DVD同期信号が検出されるときはDVD再生系を選択駆動してDVD再生モードを遂行し、設定された時間の間に前記DVD同期信号が検出されないときは、前記光ピックアップをCDピックアップユニットに制御し、前記CD再生系を選択駆動してCD再生モードを遂行することを特徴とする光ディスク再生装置。
【請求項６】相互に異なる同期信号を有するCD及びDVDを再生できる２焦点両用光ピックアップと、CD再生系及びDVD再生系とを備え、前記DVD再生系がDVD同期検出部を備えるディスク再生装置の再生方法において、
　ディスク装着の感知時、前記光ピックアップをDVD専用に制御し、前記DVD同期検出部から出力されるDVD同期信号の検出有無を分析し、前記DVD同期信号が検出されるときはDVD再生系を選択駆動してDVD再生モードを遂行し、設定された時間の間に前記DVD同期信号が検出されないときは、前記光ピックアップをCDピックアップユニットに制御し、前記CD再生系を選択駆動してCD再生モードを遂行することを特徴とする光ディスク再生方法。
【請求項７】相互に異なる同期信号を有するCD及びDVDの再生系を備えるディスク再生装置において、
　前記CD再生系及びDVD再生系がそれぞれ同期検出部を備え、ディスク装着感知時に前記同期検出部から出力される同期信号を分析し、前記CD同期信号が検出されるときはCD再生系を選択駆動してCD再生モードを遂行し、前記DVD同期信号が検出されるときは前記DVD再生系を選択駆動してDVD再生モードを遂行することを特徴とする光ディスク再生装置。
【請求項８】相互に異なる同期信号を有するCD及びDVDを再生できる２焦点光ピックアップと、CD再生系及びDVD再生系とを備えるディスク再生装置において、
　前記CD再生系及びDVD再生系がそれぞれ同期検出部を備え、ディスク装着感知時に前記光ピックアップをCD専用に制御してCD同期検出部の出力を検査し、前記CD同期信号が検出されるときはCD再生モードを遂行し、前記CD同期信号が設定時間の間に検出されないときは、前記光ピックアップをDVD専用に制御し、前記DVD同期検出部の出力を検査し、前記DVD同期信号を検出する際にDVD再生モードを遂行することを特徴とする光ディスク再生装置。
【請求項9】相互に異なる同期信号を有するCD及びDVDを再生できる２焦点光ピックアップと、CD再生系及びDVD再生系とを備え、前記CD再生系及びDVD再生系がそれぞれ同期検出部を備えるディスク再生装置の再生方法において、
　ディスク装着感知時に検出される同期信号を分析し、前記CD同期信号が検出されるときはCD再生系を選択駆動してCD再生モードを遂行し、前記DVD同期信号が検出されるときは、前記DVD再生系を選択駆動してDVD再生モードを遂行することを特徴とする光ディスク再生方法。」
（２）申立ての理由の概要
　特許異議申立人は、甲第1号証刊行物として、特開平7-296498号公報（以下、刊行物1という）を、甲第2号証刊行物として、特公昭58-51351号公報（以下、刊行物2という）を、甲第3号証として、 NIKKEI ELECTRONICS 1996.9.9（no.670）を提出し、本件請求項１〜請求項９に係る各発明は、各刊行物記載の発明に基づいて当業者が容易に発明をすることができたものであるので、いずれの発明についての特許も、特許法第29条第2項の規定に違反してなされたものであるから、特許を取り消すべきである旨主張している。
（３）刊行物の記載
　［刊行物1］
　刊行物1には、低密度光デイスクと高密度光デイスクを同一の光ピックアップで検出した信号から識別することのできる光デイスク再生装置の提供を目的としてなされた「光デイスク再生装置」に関する発明が記載されており、更に、以下の記載がある。
・「本発明に係る光デイスク再生装置は、起動時に光デイスクを一定速度で回転駆動する定速度駆動手段と、・・・光ピックアップが移動される特定径方向位置のトラックのピット長を測定するピット長測定手段と、上記ピット長測定手段で測定されたピット長により光デイスクの種類の判別を行う判別手段とを有することにより上記課題を解決する。」（段落【0012】）
・「また、上記判別手段は、上記ピット長測定手段で測定された最小ピット長により光デイスクの種類の判別を行うようにする。
　また、上記判別手段は、上記ピット長測定手段で測定された最大ピット長により光デイスクの種類の判別を行うようにしてもよい。
　また、上記判別手段は、上記ピット長測定手段で測定された最小ピット長及び最大ピット長により光デイスクの種類の判別を行うようにしてもよい。例えば、上記判別手段は、上記最小ピット長と上記最大ピット長の比により上記光デイスクの種類の判別を行うようにしてもよい。」（段落【0014】〜【0016】）
・「・・・、判別手段がそのピット長に応じて光デイスクの種類の判別を行うので、低密度光デイスクと高密度光デイスクを同一の光ピックアップで検出した信号から識別することができる。」
（段落【0017】）
・「この光ピックアップ1で検出された検出出力であるRFデータは、再生増幅器（・・・）4で増幅され、・・・
2値化される。この2値化された信号は、・・・であり、一定間隔で同期信号をもっている。
　　　　　　　　・・・途中略・・・
　この同期信号間隔測定回路9で測定された同期信号の周期は、スピンドルサーボ回路15にフィードバックされる。・・・」（段落【0022】）
　［刊行物2］
　刊行物2には、オーディオデイスクとビデオデイスクの両方を再生できるようにした「再生装置」に関する発明が記載されており、更に、以下の記載がある。
・「しかしながら、従来のビデオデイスクの再生装置とオーデイオデイスクの再生装置とは互換性がなくそれぞれ専用の装置を用いなければならなかった。
　本発明は上記の問題に鑑みなされたもので、オーディオ信号を符号化し、この符号化信号と同期信号とを記録したデイスクをビデオデイスクと兼用して再生できるようにしたものである。」（第1頁右欄第4〜7行）
・「このようなビデオデイスクでは信号再生帯域として6MHz程度期待できる。」（同頁同欄第19〜20行）
・「一方音声信号を例えばPCM信号のように符号化する場合、ビデオ信号の帯域を用いて、例えば15ビット程度のPCM信号に変換して記録すれば、90dB程度のダイナミックレンジを確保することができる。
　これは音楽の場合には実際のダイナミックレンジと略等しい値である。また音声信号を符号化することにより、  ・・・
　　　　　　　　・・・途中略・・・
音質の劣化を全くなくすことができる。」（同頁右欄第21〜31行）
・「次に音声信号を符号化してデイスクに記録する場合に要する周波数帯域を概算する。
　　　　　　　　・・・途中略・・・
　　　・・・  ・・・  ・・・ 4チャンネルでは、450KHzとなる。
そこで、前記6MHzのビデオ信号再生帯域を利用すれば、4チャンネルが3本、計12チャンネルの信号を記録することが可能になる。なお、信号処理の手法が進歩しチャンネル当りの信号帯域が減少すれば、デイスクに記録可能なチャンネルの数が上記より増加することは勿論である。」（同頁右欄第32行〜第2頁左欄第8行）
・「次に音声信号を記録する場合は、音源13からの音声信号をA/D変換器14で符号化し、例えばPCM信号と成す。このとき同期信号が挿入される。この同期信号は、例えば4チャンネルの音声信号を直列に記録する場合は、第1チャンネルを記録するごとにその直前に挿入すればよい。」（第2頁左欄第21〜26行）
・「デイスク23がビデオデイスクの場合は、上記復調信号はスイッチ21の接点vを介して映像出力回路35に加えられ、出力端子36よりビデオ信号が取り出される。これと共に上記復調信号は同期分離回路37にも加えられて、同期信号が抜きだされ、この同期信号はサーボ用の信号として、・・・回転制御回路38に加えられ、その出力制御信号によってデイスク回転用モータ39の回転数が制御される。さらに、・・・
　　　　　　　　・・・途中略・・・
　デイスク23がオーデイオ信号の場合は、スイッチ21に加えられた復調信号は接点aを介して同期分離回路41に加えられる。同期分離回路41からは同期信号が抜かれた復調信号が取り出され、・・・この同期信号はスイッチ20,22を介して制御回路38,40に加えられて、前述のようにモータ39の回転数及びピックアップ24のトラッキング、ホーカシングの制御が行われる。」（同頁右欄第16〜39行）
・「以上の構成及び動作によれば、ビデオデイスク再生時とオーデイオデイスク再生時に於いて、ピックアップ24、前置増幅器25、イコライザ31、
　　・・・及びモータ39を兼用することができる。またバッファメモリ42の記憶容量を大としておけば、オーデイオデイスク再生時のモータ39のサーボを省略することも可能である。尚、デイスク23にオーデイオデイスクであるかビデオデイスクであるかの判別信号を挿入することもでき、その場合は判別信号検出回路49,50を別に設けて、この検出信号に基いてスイッチ20,21,22を自動的に切換えるようにすることができる。またこの自動切換えは同期信号によって行うこともできる。」（第3頁左欄第11〜25行）
・「以上の第1及び第2の実施例によれば、オーデイオデイスク再生時にビデオ信号再生帯域を利用しているので、前述したように、オーデイオチャンネル数を例えば12チャンネルと大幅に増加することができる。
　またビデオトラックと同じ巾のトラックに音声信号をPCM化して4チャンネルで記録すれば、デイスクの回転数をビデオの時より1／3〜1／4に落として、再生時間を3〜4倍にすることもできる。」（同頁左欄第44行〜同頁右欄第8行）
・「また回転数をビデオデイスクと同じにする場合は、演奏時間は短くなるが、信号の帯域が拡大されるので、時間的に直列に12チャンネル以上記録できることになる。このため各チャンネルの音声信号を電気的に選択したり、ピックアップの適当なアクセス、選択等によってデイスクの記録内容を様々な状態で再生することができる。」（同頁右欄第15〜21行）
・「本発明は同期信号を含み且つ符号化されたオーデイオ信号が記録されたデイスクと、同期信号を含むビデオ信号が記録されたデイスクとを同一のモータ、・・・
　　　　　　　　・・・途中略・・・
のであるから、ダイナミックレンジ、歪み等が改善されて、音質を大幅に向上させることができると共に・・・」（同頁右欄第26行以下）
　［刊行物3］
　刊行物3には、光メモリについての国際会議が開催されたこと、DVDとCDの両方を読み出せる光ピックアップが5方式も発表されたことが記載され、後者について具体的に以下の記載がある。
・ホログラムで一部のレーザ光を回折させ、DVD用とCD用の二つの焦点をもたせる方式
・液晶素子によるシャッタを使って対物レンズの開口部を狭くする方法
　　　以　下　省　略
（４）判断
　本件各請求項に係る発明が、いずれも、相互に異なる同期信号を有するCD及びDVDの再生において、デイスク種類の判別に同期信号を用いる点を必須の要件としているので、デイスクの判別に同期信号を用いることを示唆している刊行物2記載のものについて検討する。
　刊行物2記載のものは、その記載からみて、ビデオデイスクのビデオ信号再生帯域の広さを利用して、ビデオ用と同種のデイスク上に、符号化したオーデイオ信号を同期信号と共に記録することにより、オーデイオデイスクとビデオデイスクの両方を再生できるようにしようとする再生装置に関するものである。
　したがって、使用されるデイスクは、記録された情報内容がオーデイオ情報かビデオ情報かで相違するということができるとしても、デイスクの種類そのものが異なるものではない。
　そして、刊行物2記載の発明が、もともと再生帯域の広いビデオ用のデイスクをオーデイオデイスクとして用いることで、種々の課題を解決しようとして成されたものであることを考慮すると、スイッチ20,21,22の自動切換えを同期信号で行うこともできるとして、デイスク23がオーデイオデイスクであるのか、ビデオデイスクであるのかを判別するのに、同期信号を用る判別手法を一応示唆しているということができるものの、それぞれの同期信号の形態を含め、その具体的手法は記載されておらず、CDとDVDという異なる同期信号を有する別種のデイスクを再生するための装置におけるデイスクの判別手段に適用可能な技術手段として前記判別手法を抽出することは困難というべきである。
　一方、刊行物1に記載された光デイスク再生装置は、前記したとおり、低密度光デイスクか、高密度光デイスクかという光デイスクの種類の判別を最小ピット長及び最大ピット長により行う点をその特徴とするものであり、判別手段として、その特徴点の代わりに、同期信号による判別手段を置換適用する必要性を示唆する技術的課題は見いだせない。
　結局、刊行物1記載の発明と刊行物2記載の発明とを組み合わせること自体困難であり、更に、刊行物3の記載を検討しても、本件各請求項に係る発明を容易に発明し得たとすることはできない。
３．むすび
　以上のとおりであるから、特許異議申立ての理由及び証拠によっては、本件特許を取り消すことはできない。
　又、他に本件特許を取り消すべき理由を発見しない。
　よって、結論のとおり決定する。　　
【異議決定日】
平成１２年２月１８日（２０００．２．１８）